(57)【要約】【課題】誰もが容易に組み立てられ、且つ、寸法精度の確保と作業効率の向上が図れ、且つ、作業性・安全性・経済性に優れた嵌合組合型構造部材を開発・提供する事にある。【解決手段】左右対称に設けた一対の主要部材と、該主要部材と主要部材間に設けた複数の接合補助部材と、脱落を防止する複数の係止部材から成り、且つ、該主要部材には、下面部に接合補助部材の凸形係止部に適合する矩形状の係止穴と側面部に係止部材取付用穴をそれぞれ所定間隔空けて設け、且つ、該接合補助部材には、両端左右下部に主要部材の係止穴に適合した凸形係止部と両端側面部に係止部材取付用穴をそれぞれ設け、且つ、主要部材と接合補助部材接合時は、主要部材の係止穴部に接合補助部材の凸形係止部をそれぞれ嵌着して設け、且つ、主要部材と接合補助部材の側面部に設けたそれぞれの取付用穴部に係止部材を嵌合しカシメ加工して固着するものである。【選択図】  図６
0003135790.tif 000002
【実用新案登録請求の範囲】
【請求項１】
折り曲げ形成した溝形鋼の主要部材と接合補助部材を組合せて成る、ケーブル用ラック等の構造部材であって、該構造部材は左右対称に対向して設けた一対の主要部材（１）（１）と、該主要部材（１）と主要部材（１）間に設けて接合する複数の接合補助部材（２）（２）と、接合部を固着して脱落を防止する複数のリベット等の係止部材（３）（３）から成り、且つ、該主要部材（１）には、下面部に接合補助部材（２）の凸形係止部（２ａ）（２ａ'）に適合する矩形状の係止穴（１ａ）（１ａ'）と、側面部にリベット等の係止部材（３）取付用穴（１ｂ）（１ｂ'）をそれぞれ所定間隔（Ｐ）空けて設け、且つ、該接合補助部材（２）には、両端左右下部に主要部材（１）の係止穴（１ａ）（１ａ'）に適合した凸形係止部（２ａ）（２ａ'）と両端側面部にリベット等の係止部材（３）取付用穴（２ｂ）（２ｂ'）をそれぞれ設け、且つ、主要部材（１）と接合補助部材（２）接合時は、主要部材（１）の係止穴（１ａ）（１ａ'）部に接合補助部材（２）の凸形係止部（２ａ）（２ａ'）をそれぞれ嵌着して設け、且つ、主要部材（１）と接合補助部材（２）の側面部に設けたそれぞれの取付用穴（１ｂ）（１ｂ'），（２ｂ）（２ｂ'）部にリベット等の係止部材（３）を嵌合し、カシメ加工して固着する事を特徴とする嵌合組合型構造部材。
【考案の詳細な説明】
【技術分野】
【０００１】
この考案は、嵌合組合型構造部材に関するものである。
【背景技術】
【０００２】
従来、配線ラック等の構造部材は、左右両サイドの主要部材と、左右の主要部材と主要部材の間に接合補助部材（クロス部材）を溶接にて接合していた為、寸法精度の確保と作業効率の向上を図る為に特殊な治具と専属の溶接技能者が必要であった。
【０００３】
又、当然ながら溶接すれば溶接による歪やスパッタが発生する為、歪取りや修復作業の工程が不可欠でコストアップの要因の一つでもあった。
【０００４】
従って、誰もが容易に組み立てられ、且つ、寸法精度の確保と作業効率の向上が図れる構造部材の早期開発が望まれている。
【０００５】
これまでに出願されている構造部材及び接合部材の特許文献を参考の為、紹介する。（特許文献１〜３参照。）
【特許文献１】特開２００７−０３８３０１
【特許文献２】特開２００７−０４００１２
【特許文献３】特開２００７−１０７２２０
【考案の開示】
【考案が解決しようとする課題】
【０００６】
そこで、上記課題を解決する為に、この考案は誰もが容易に組み立てられ、且つ、寸法精度の確保と作業効率の向上が図れ、且つ、作業性・安全性・経済性に優れた嵌合組合型構造部材を開発・提供する事にある。
【課題を解決するための手段】
【０００７】
この課題を解決する為の手段として、左右対称に対向して設けた一対の主要部材と、該主要部材と主要部材間に設けて接合する複数の接合補助部材と、接合部を固着して脱落を防止する複数のリベット等の係止部材から成り、且つ、該主要部材には、下面部に接合補助部材の凸形係止部に適合する矩形状の係止穴と、側面部にリベット等の係止部材取付用穴をそれぞれ所定間隔空けて設け、且つ、該接合補助部材には、両端左右下部に主要部材の係止穴に適合した凸形係止部と両端側面部にリベット等の係止部材取付用穴をそれぞれ設け、且つ、主要部材と接合補助部材接合時は、主要部材の係止穴部に接合補助部材の凸形係止部をそれぞれ嵌着して設け、且つ、主要部材と接合補助部材の側面部に設けたそれぞれの取付用穴部にリベット等の係止部材を嵌合しカシメ加工して固着するものである。
【考案の効果】
【０００８】
この考案の効果として、左右対称に対向して設けた一対の主要部材と、該主要部材と主要部材間に設けて接合する複数の接合補助部材と、接合部を固着して脱落を防止する複数のリベット等の係止部材から成り、且つ、該主要部材には、下面部に接合補助部材の凸形係止部に適合する矩形状の係止穴と、側面部にリベット等の係止部材取付用穴をそれぞれ所定間隔空けて設け、且つ、該接合補助部材には、両端左右下部に主要部材の係止穴に適合した凸形係止部と両端側面部にリベット等の係止部材取付用穴をそれぞれ設け、且つ、主要部材と接合補助部材接合時は、主要部材の係止穴部に接合補助部材の凸形係止部をそれぞれ嵌着して設け、且つ、主要部材と接合補助部材の側面部に設けたそれぞれの取付用穴部にリベット等の係止部材を嵌合しカシメ加工して固着する事で、加工時間の短縮や寸法精度の向上、更に溶接工程が無くなる事で、溶接加工用治具及び溶接技能者が不要に成り、且つ、溶接スパッタや歪の解消による外観美の向上が図れ、品質の向上及び作業性・生産性・安全性・経済性の改善等、極めて有益なる効果を奏するものである。
【考案を実施するための最良の形態】
【０００９】
この考案の最良の形態として、構造部材の使用目的や用途に応じた負荷荷重を設定し、負荷荷重に耐えられる、安全で強力な最適形状寸法の部材と、部材と部材を接合する係止部及び係止部材を選定・算出する事が重要である。
【実施例１】
【００１０】
そこで、この考案の一実施例を図１〜図３に基づいて詳述すると、折り曲げ形成した溝形鋼の主要部材と接合補助部材を組合せて成る、ケーブル用ラック等の構造部材であって、該構造部材は左右対称に対向して設けた一対の主要部材（１）（１）と、該主要部材（１）と主要部材（１）間に設けて接合する複数の接合補助部材（２）（２）と、接合部を固着して脱落を防止する複数のリベット等の係止部材（３）（３）から成り、且つ、該主要部材（１）には、下面部に接合補助部材（２）の凸形係止部（２ａ）（２ａ'）に適合する矩形状の係止穴（１ａ）（１ａ'）と、側面部にリベット等の係止部材（３）取付用穴（１ｂ）（１ｂ'）をそれぞれ所定間隔（Ｐ）空けて設け、且つ、該接合補助部材（２）には、両端左右下部に主要部材（１）の係止穴（１ａ）（１ａ'）に適合した凸形係止部（２ａ）（２ａ'）と両端側面部にリベット等の係止部材（３）取付用穴（２ｂ）（２ｂ'）をそれぞれ設け、且つ、主要部材（１）と接合補助部材（２）接合時は、主要部材（１）の係止穴（１ａ）（１ａ'）部に接合補助部材（２）の凸形係止部（２ａ）（２ａ'）をそれぞれ嵌着して設け、且つ、主要部材（１）と接合補助部材（２）の側面部に設けたそれぞれの取付用穴（１ｂ）（１ｂ'），（２ｂ）（２ｂ'）部にリベット等の係止部材（３）を嵌合し、カシメ加工して固着する事を特徴とする嵌合組合型構造部材から構成される。
【００１１】
次に、この考案の詳細について説明すると、まず、左右対称に対向して設けた主要部材（１）（１）は、図１に示す様に、所定長さの鉄板をコの字形状に折り曲げ形成した溝形鋼の下面部に、接合補助部材（２）（２）を接合する為の矩形状の係止穴（１ａ）（１ａ）（１ａ'）（１ａ'）をそれぞれ設け、且つ、下方側面部にリベット等の係止部材（３）取付用穴（１ｂ）（１ｂ'）をそれぞれ設け、且つ、長手方向両端部の側面中央部に所定間隔空けて設けた延長接続用の長穴（１ｃ）（１ｃ'）をそれぞれ設けたものである。前記、延長接続用の長穴（１ｃ）（１ｃ'）は構造部材を延長する場合に使用するものであって、主要部材間に接続板をボルト・ナット・ワッシャー等の係止部材で固着して接合する為のものである。
【００１２】
又、対向して設けた主要部材（１）と主要部材（１）を接続する接合補助部材（２）は、図２に示す様に、両端左右下部に主要部材（１）の係止穴（１ａ）（１ａ'）に適合した凸形係止部（２ａ）（２ａ'）と両端側面部にリベット等の係止部材（３）取付用穴（２ｂ）（２ｂ'）をそれぞれ設けたものである。
【００１３】
次に、この考案の組立手順について説明すると、最初に接合補助部材（２）の両端左右下部に設けた凸形係止部（２ａ）（２ａ）（２ａ'）（２ａ'）を主要部材（１）（１）の下面部に設けた矩形状の係止穴（１ａ）（１ａ）（１ａ'）（１ａ'）部にそれぞれ嵌着し、且つ、該主要部材（１）（１）と接合補助部材（２）（２）のそれぞれの取付用穴（１ｂ）（１ｂ'），（２ｂ）（２ｂ'）部にリベット等の係止部材（３）を嵌合し、カシメ加工して固着する。
【００１４】
又、図６は、折り曲げ形成した溝形鋼を使用した嵌合組合型構造部材の全体組立斜視図である。
【産業上の利用可能性】
【００１５】
この考案の嵌合組合型構造部材は、誰もが容易に組み立てられ、且つ、寸法精度の確保と作業効率の向上が図れ、且つ、作業性・安全性・経済性に優れている為、多くの鉄工関係市場に寄与する点で産業上の利用可能性を有する。
【図面の簡単な説明】
【００１６】
【図１】この考案の一実施例を示し、主要部材の一部欠截斜視図である。
【図２】この考案の一実施例を示し、接合補助部材の斜視図である。
【図３】この考案の一実施例を示し、構造部材組立時の（Ａ）が一部欠截正面図で、（Ｂ）が図３（Ａ）のａ部拡大詳細図である。
【図４】この考案の一実施例を示し、構造部材組立時の一部欠截平面図である。
【図５】この考案の一実施例を示し、構造部材組立時の一部欠截側面図である。
【図６】この考案の一実施例を示し、構造部材組立時の斜視図である。
【符号の説明】
【００１７】
１  主要部材
１ａ  矩形状係止穴
１ａ'  矩形状係止穴
１ｂ  取付用穴
１ｂ'  取付用穴
１ｃ  接続延長用ボルト取付穴
１ｃ'  接続延長用ボルト取付穴
２  接合補助部材
２ａ  凸形係止部
２ａ'  凸形係止部
２ｂ  取付用穴
２ｂ'  取付用穴
３  係止部材
Ｐ  所定間隔
【図１】
0003135790.tif 000003
【図２】
0003135790.tif 000004
【図３】
0003135790.tif 000005
【図４】
0003135790.tif 000006
【図５】
0003135790.tif 000007
【図６】
0003135790.tif 000008